(57)【特許請求の範囲】
【請求項１】
樹木の幹、支柱のような支持体にコイルばねにより取り付けられる表示板であって、該表示板は前記コイルばねが取り付けられる取付け部を有し、該取付け部が、
一端部及び他端部を有し、前記コイルばねの直径とほぼ等しい直径の円弧を含む形状に沿って表示板に設けられた第１スロットと、
該第１スロットに囲まれた、可撓性を有する第１領域とを備え、
前記第１領域の前記円弧に沿う周縁部が前記コイルばねと係合する第１係止部を構成する、表示板。
【請求項２】
前記円弧を含む形状は、半円形である、請求項１に記載の表示板。
【請求項３】
前記円弧を含む形状は、馬蹄形である、請求項１に記載の表示板。
【請求項４】
樹木の幹、支柱のような支持体にコイルばねにより取り付けられる表示板であって、該表示板は前記コイルばねが取り付けられる取付け部を有し、該取付け部が、
一端部及び他端部を有し、前記コイルばねの直径とほぼ等しい直径の円弧を含む形状に沿って表示板に設けられた第１スロットと、
該第１スロットに囲まれ、折り曲げられた第１領域とを備え、
前記第１領域の前記円弧に沿う周縁部が前記コイルばねと係合する第１係止部を構成する、表示板。
【請求項５】
前記第１領域はその表面側に折り曲げられている、請求項４に記載の表示板。
【請求項６】
前記第１領域はその裏面側に折り曲げられている、請求項４に記載の表示板。
【請求項７】
さらに、前記第１領域に、一端部及び他端部を有するコ字の形状に沿って表示板に設けられた第２スロットと、
該第２スロットに囲まれた第２領域とを備え、
記第１スロットの中心軸線と前記第２スロットの中心軸線とは前記円弧のほぼ直径上にあり、
前記第１スロットの前記円弧の向きと前記第２スロットの前記コ字の向きとは互いに逆であり、
前記第２領域を折り曲げてなる折り曲げ片が前記第１係止部とは反対の側で前記コイルばねと係合する第２係止部を構成する、請求項１ないし６のいずれか１項に記載の表示板。
【請求項８】
前記折り曲げ片は、前記第２領域をその表面側に折り曲げてなる、請求項７に記載の表示板。
【請求項９】
前記折り曲げ片は、前記第２領域をその裏面側に折り曲げてなる、請求項７に記載の表示板。
【請求項１０】
表示板と、該表示板を樹木の幹、支柱のような支持体に取りつけるためのコイルばねとの組合せであって、
前記表示板は、前記コイルばねの一端部及び他端部を該表示板に着脱可能に取り付けるための間隔をおいて設けられた一対の取付け部を有し、
各取付け部が、一端部及び他端部を有し、前記コイルばねの直径とほぼ等しい直径の円弧を含む形状に沿って表示板に設けられた第１スロットと、
該第１スロットに囲まれた、可撓性を有する第１領域とを備え、
前記第１領域の前記円弧に沿う周縁部が前記コイルばねと係合する第１係止部を構成する、表示板とコイルばねとの組合せ。
【請求項１１】
表示板と、該表示板を樹木の幹、支柱のような支持体に取りつけるためのコイルばねとの組合せであって、
前記表示板は、前記コイルばねの一端部及び他端部を該表示板に着脱可能に取り付けるための間隔をおいて設けられた一対の取付け部を有し、
各取付け部が、一端部及び他端部を有し、前記コイルばねの直径とほぼ等しい直径の円弧を含む形状に沿って表示板に設けられた第１スロットと、
該第１スロットに囲まれ、折り曲げられた第１領域とを備え、
前記第１領域の前記円弧に沿う周縁部が前記コイルばねと係合する第１係止部を構成する、表示板とコイルばねとの組合せ。
【請求項１２】
さらに、前記第１領域に、一端部及び他端部を有するコ字の形状に沿って表示板に設けられた第２スロットと、
該第２スロットに囲まれた第２領域とを備え、
前記第１スロットの中心軸線と前記第２スロットの中心軸線とは前記円弧のほぼ直径上にあり、
前記第１スロットの前記円弧の向きと前記第２スロットの前記コ字の向きとは互いに逆であり、
前記第２領域を折り曲げてなる折り曲げ片が前記第１係止部とは反対の側で前記コイルばねと係合する第２係止部を構成する、請求項１０又は１１に記載の表示板とコイルばねとの組合せ。
【発明の詳細な説明】
【技術分野】
【０００１】
本発明は、公園、植物園、歩道等に植えられた植物の名称、特徴等の情報、設置場所における案内又は指導等を表示する表示板及び該表示板とコイルばねとの組み合わせに関する。
【背景技術】
【０００２】
従来、植物の名称、設置場所の案内等を表示する表示具の一つとして、表示板とコイルばねとの組み合わせからなるものが用いられている。
【０００３】
前記表示板には、前記コイルばねの両端部をそれぞれ取り付けるための２つ取付け部が設けられている（例えば、特許文献１参照）。表示板は、コイルばねの一端部を両取付け部の一方に取り付けた後、コイルばねを樹木の幹や枝の回りに巡らし、コイルばねの他端部を他方の取付け部に取り付けることにより樹木の幹や枝に取り付けることができる。
【０００４】
前記表示板の各取付け部は、表示板の裏面から突出する複数の突出体と、各突出体から表示板と平行して伸びる板状体と、板状体から表示板の側に突出する突起とを含む。
【０００５】
前記従来の表示板によれば、コイルばねの端部付近の周面を板状体に押し付け、コイルばねの周面に板状体を食い込ませることによって、コイルばねの端部付近の一部分は突出体及び突起の間に受け入れられる。これにより、コイルばねは取付け部に係合し、前記表示板に取り付けられる。
【０００６】
しかし、前記取付け部において、コイルばねの端部付近の一部分を突出体及び突起の間に受け入れることによって、コイルばねを取付け部に係合させることから、板状体の先端部はコイルばねに接触しない。このため、コイルばねは、突出体及び突起の間に受け入れられた一部分を除いて、自由に変位可能である。したがって、表示板が例えば風によって揺れ、その揺れによってコイルばねが揺れかつ大きく伸びたとき、コイルばねの前記一部分が前記突起を乗り越え、コイルばねが取付け部から外れることがある。
【特許文献１】特許第３０９１６４０号公報
【発明の開示】
【発明が解決しようとする課題】
【０００７】
本発明の目的は、表示板が揺れてもコイルばねが外れにくく、しかも前記表示板への前記コイルばねの取り付けが容易である表示板を提供することにある。
【課題を解決するための手段】
【０００８】
本発明に係る表示板は、樹木の幹、支柱のような支持体にコイルばねにより取り付けられる。表示板は、前記コイルばねが取り付けられる取付け部を有し、該取付け部が、一端部及び他端部を有し、前記コイルばねの直径とほぼ等しい直径の円弧を含む形状に沿って表示板に設けられた第１スロットと、該第１スロットに囲まれた第１領域であって可撓性を有する又は折り曲げられた第１領域とを備える。
【０００９】
本発明に係る表示板と該表示板を樹木の幹、支柱のような支持体に取り付けるコイルばねとの組合せは、前記表示板が、前記コイルばねの一端部及び他端部を該表示板に着脱可能に取り付けるための間隔をおいて設けられた一対の取付け部を有する。各取付け部が、一端部及び他端部を有し、前記コイルばねの直径とほぼ等しい直径の円弧を含む形状に沿って表示板に設けられた第１スロットと、該第１スロットに囲まれた第１領域であって可撓性を有する又は折り曲げられた第１領域とを備える。
【００１０】
前記第１領域の前記円弧に沿う周縁部が前記コイルばねと係合する第１係止部を構成する。
【００１１】
前記円弧を含む形状は、半円形であってもよい。また、前記円弧を含む形状は、馬蹄形であってもよい。
【００１２】
前記第１領域はその表面側に折り曲げられていてもよい。また、前記第１領域はその裏面側に折り曲げられていてもよい。
【００１３】
前記表示板は、さらに、前記第１領域に、一端部及び他端部を有するコ字の形状に沿って表示板に設けられた第２スロットと、該第２スロットに囲まれた第２領域とを備えることができる。前記第１スロットの中心軸線と前記第２スロットの中心軸線とは前記円弧のほぼ直径上にあってもよい。前記第１スロットの前記円弧の向きと前記第２スロットの前記コ字の向きとは互いに逆にすることができる。前記第２領域を折り曲げてなる折り曲げ片が前記第１係止部とは反対の側で前記コイルばねと係合する第２係止部を構成することができる。
【００１４】
前記折り曲げ片は、前記第２領域をその表面側に折り曲げてもよい。また、前記折り曲げ片は、前記第２領域をその裏面側に折り曲げてもよい。
【発明の効果】
【００１５】
本発明によれば、前記取付け部の可撓性を有する前記第１領域を例えば表示板の裏面側に折り曲げて表示板から突出させ、突出させた第１領域の前記周縁部に、又は前記取付け部の折り曲げられた前記第１領域の前記周縁部に、コイルばねの周面を押し付けるとき、コイルばねは周縁部に食い込まれ、コイルばねは周縁部に保持される。これにより、コイルばねを前記取付け部に容易に取り付けることができる。
【００１６】
コイルばねの直径とほぼ等しい直径の円弧に沿う前記周縁部は、さらにコイルばねに食い込んでいくとき、コイルばねの内周面に接触し、コイルばねの内側に嵌まることができる。これにより、前記周縁部はコイルばねの内周面に係合し、例えば、表示板が風に煽られ揺れて、コイルばねが伸縮運動しても、周縁部がコイルばねの内周面に接触して嵌まった状態が維持され、コイルばねは表示板から外れにくい。
【００１７】
前記第２領域を折り曲げてなる折り曲げ片が前記第１係止部とは反対の側で前記コイルばねと係合する第２係止部を構成すれば、前記第１領域がコイルばねから抜け出すとき、折り曲げ片は第１領域が抜け出る側のコイルばねの内周面に食い込み、第１領域のコイルばねへの係合状態は維持される。これにより、コイルばねが表示板からより一層外れにくくすることができる。例えば、風等の自然現象によって外れることを防止することができるだけでなく、表示板の盗難等による人為的に取り外されることも防止することができる。
【発明を実施するための最良の形態】
【００１８】
図１〜図８を参照して、本発明に係る、表示板とコイルばねとの組み合わせの実施例を説明する
【００１９】
表示具１０は、図１に示すように、表示板１２とコイルばね１４とを組み合わせてなる。図示の例では、表示板１２は、コイルばね１４によって樹木の幹、支柱のような支持体１６に保持されている。
【００２０】
支持体１６は、公園、植物園、歩道等に植えられた植物の名称、特徴等の情報、設置場所における案内、指導等を表示する表示板１２が保持されまたは取り付けられる樹木５８（図８）の幹や枝、図示されていないが、樹木以外の杭や支柱から成る。
【００２１】
表示板１２は耐候性および耐食性を有するプラスチック材料、金属材料等から製作され、図８の例では、表示板１２の表面１２ａに植物の名称、解説等が印刷されている。コイルばね１４は金属製、プラスチック製等の線材から製作される。
【００２２】
表示板１２は、直線状の、上辺１８及び両側辺２０と、波型状の下辺２２とを有する。また、表示板１２は、その上部に、上辺１８に平行して、裏面２４の側にほぼ９０度折り曲げられた折り曲げ部２６と、その折り曲げ部２６に、コイルばね１４を取り付けるための２つの取付け部２８と、２つの取付け部２８の間に設けられた２つの穴２８ａとを有する。
【００２３】
各穴２８ａは、後述の中心軸線５２（５４）上に中心を有する。２つの穴２８ａは、それぞれ、表示板１２を地上に支持するための支持具（図示せず）の一端及び他端、例えばコ字の形状の細長い金属線の一端及び他端を挿入するための穴である。この金属線を各穴２８ａに挿入した後、各端を地面の所望の位置に突き刺すことによって、表示板１２を好みの位置に支持する。
【００２４】
取付け部２８は、図３に示すように、一端部３０及び他端部３２を有する第１スロット３４と、第１スロット３４に囲まれた、可撓性を有する第１領域３８とを備える。第１スロット３４は、コイルばね１４の直径とほぼ等しい直径の円弧３６と円弧３６の２つの終端点３６ａから互いの方向に曲って、それぞれ、一端部３０及び他端部３２に到達する湾曲線３６ｂとを含む形状に沿って設けられている。第１領域３８の円弧３６に沿う周縁部４０はコイルばね１４と係合する第１係止部を構成する。前記円弧３６を含む形状は、図示した例では、半円形であるが、馬蹄形でもよい。
【００２５】
また、第１領域３８は表面３８ａ及び裏面３８ｂを有する。第１領域３８は可撓性を有することから、表示板１２の表面１２ａ又は裏面１２ｂの側へのいずれの方向にも折れ曲がる。図示した例では、可撓性を有する第１領域３８が用いられたが、これに代え、予め、表面３８ａ（図４）又は裏面３８ｂ（図４）の側に折り曲げられている第１領域３８を用いることができる。
【００２６】
また、取付け部２８は、第１領域３８に、一端部４４及び他端部４６を有する第２スロット４８と、第２スロット４８に囲まれた第２領域５０とを備える。第２スロット４８は、両側辺４８ａ及び上辺４８ｂからなるコ字の形状に沿って表示板に設けられている。
【００２７】
第１スロット３４の中心軸線５２と第２スロット５０の中心軸線５４とは円弧３６のほぼ直径上にある。また、第１スロット３４の円弧３６の向き（第１スロット３４の円弧３６から一端部３０又は他端部３２側の方向）と第２スロット５０のコ字の向き（第２スロット４８の一端部４４及び他端部４６から第１のスロット３４側の方向）とは互いに逆である。第２領域５０を折り曲げてなる折り曲げ片５６は、図７に示すように、第１係止部（周縁部４０）とは反対の側でコイルばね１４と係合する第２係止部を構成する。
【００２８】
コイルばね１４を一方の取付け部２８（図中、右側の取付け部２８）に取り付けるときは、図４に示すように、第１領域３８を下方に折り曲げ、周縁部４０にコイル１６の周面を押し当てて食い込ませる。その後、周縁部４０の、円弧３６と同じ形状を有する部分がコイルばね１４の内周面に接触するまで、周縁部４０にコイル１６を食い込ませて、周縁部４０をコイルばね１４の内周面に嵌める。これにより、周縁部４０をコイルばね１４に係合する。次いで、図５に示すように、第１領域３８を下方に折り曲げたことによって形成された開口５８に第１領域３８を戻す。このとき、第１領域３８より上方に位置するコイルばね１４の一部は折り曲げ部２６の上面２６ａから突出する。
【００２９】
コイルばね１４を下方に引っ張る力がコイルばね１４に掛けられたとき、図６に示すように、第１領域３８の周縁部４０側がやや下方に傾斜する。さらに、コイルばね１４を下方に引っ張る大きい力がコイルばね１４に掛けられたとき、図７に示すように、第１領域３８はコイルばね１４から抜け出しそうになるが、折り曲げ片５６は、第１領域３８がコイルばね１４に食い込む側の内周面に係合して第１領域３８のコイルばね１４からの抜け出しを阻止する。
【００３０】
コイルばね１４を取付け部２８から取り外すときは、図７に示す状態において、折り曲げ片５６を指で第２スロット４８内に押し込みつつ、コイルばね１４を下方に引っ張ることによって、コイルばね１４の内周面に嵌った周縁部を有する第１領域３８はコイルばね１４から抜け出し、コイルばね１４を取付け部２８から取り外す。
【００３１】
また、コイルばね１４を取付け部２８から取り外す別の方法としては、図５に示す状態において、ねじを緩める方法と同様に、反時計回りにコイルばね１４を回すことである。これにより、第１領域３８はコイルばね１４を構成する金属線上を滑り上り、コイルばね１４の上端部から第１領域３８は外れる。この現象は、コイルばね１４が１本の金属線をらせん状に巻いて構成されていることに因る。
【００３２】
また、この現象を利用して、コイルばね１４を時計回りに回すことで、第１領域３８のコイルばね１４への食い込み位置を変更できる。
【００３３】
表示板１２及びコイルばね１４の組み合わせからなる表示具を使用するときは、図８に示すように、例えば樹木５８の幹にコイルばね１４を取り巻きかつ引張り状態において表示板１２を保持する。
【００３４】
上記実施例において、コイルばね１４は表示板１２の折り曲げ部２６の下面から取付け部２８に取り付けられているが、折り曲げ部２６の上面から取付け部２８に取り付けてもよい。
【００３５】
上記実施例において、両第１領域３８は互いの方向に向いているが、コイルばね１４を第１領域３８の方向にかかわらずに取り付けることができることから、第１領域３８は任意の方向に向けることができる。
【００３６】
本発明は、上記実施例に限定されず、本発明の趣旨を逸脱しない限り、種々変更して実施することができる。
【図面の簡単な説明】
【００３７】
【図１】本発明に係る、表示板とコイルばねとの組み合わせの一実施例を正面側から見た斜視図。
【図２】図１の表示板とコイルばねとの組み合わせの一実施例を裏面側から見た斜視図。
【図３】図１の表示板の取付け部付近を拡大して示す平面図。
【図４】図３の表示板の裏面図であってコイルばねを一方の取付け部に取り付ける状態を示す断面図。
【図５】図１の５−５線に沿って切断した部分断面図。
【図６】図５に示した表示板及びコイルばねの状態からコイルが下方に引っ張られ、コイルばねが取付け部から離脱し始めた状態を示す断面図。
【図７】図６に示した状態からさらにコイルばねが下方に引っ張られ、取付け部から抜け出すコイルばねを折り曲げ片が阻止している状態を示す断面図。
【図８】本発明に係る、表示板とコイルばねとの組み合わせを樹木に保持した状態を示す図。
【符号の説明】
【００３８】
１０  表示具（組み合わせ）
１２  表示板
１４  コイルばね
１６  支持体
２８  取付け部
３０、４４  一端部
３２、４６  他端部
３４  第１スロット
３６  円弧
３８  第１領域
４０  周縁部
４８  第２スロット
５０  第２領域
５２、５４  中心軸線
５６  折り曲げ片
５８  樹木
【図１】
0004902578.tif 000002
【図２】
0004902578.tif 000003
【図３】
0004902578.tif 000004
【図４】
0004902578.tif 000005
【図５】
0004902578.tif 000006
【図６】
0004902578.tif 000007
【図７】
0004902578.tif 000008
【図８】
0004902578.tif 000009